(57)【要約】【課題】やさしい接触感が得られ、マスクを取り外した際のマスクインナーの接触跡が残り難いようにしたマスクインナー収容袋を提供する。【解決手段】マスクと着用者の顔面との間に介在され着用者の鼻及び口部付近を覆う内部空間を有し通気用の窓部を設けたマスクインナー１を収容する布製のマスクインナー収容袋６であって、顔面側の中央部にマスクインナー１の出し入れ口７を設ける。外面側の表布８と顔面側の裏布９とを周縁部１０で縫製して袋状に形成し、顔面側裏布９の中央部に円形状のマスクインナー出し入れ口７を形成する。【選択図】図２
0003230441.tif 000002
【実用新案登録請求の範囲】
【請求項１】
マスクと着用者の顔面との間に介在され着用者の鼻及び口部付近を覆う内部空間を有し通気用の窓部を設けたマスクインナーを収容する布製のマスクインナー収容袋であって、顔面側の中央部に前記マスクインナーの出し入れ口を設けたことを特徴とするマスクインナー収容袋。
【請求項２】
外面側の表布と顔面側の裏布とを周縁部で縫製して袋状に形成し、顔面側裏布の中央部に円形状のマスクインナー出し入れ口を形成した請求項１に記載のマスクインナー収容袋。
【請求項３】
横長の菱形状に形成してなる請求項１又は２に記載のマスクインナー収容袋。
【請求項４】
菱形の上端部と下端部との少なくとも一方を上端部及び／又は下端部から内方に向けて表布と裏布とを一部縫い合わせた縫い合わせ部を設けた請求項３に記載のマスクインナー収容袋。
【考案の詳細な説明】
【技術分野】
【０００１】
本考案は、マスクと顔面との間に介在させてマスクと顔面との間に空間を形成するためのマスクインナーを収容するマスクインナー収容袋に関する。
【背景技術】
【０００２】
衛生マスクを顔面に装着すると、保形具がないと口部が狭く息苦しいことがあり、また女性などの場合口紅がマスクに付着するなどの不都合が生ずることがある。
これを解消するために、マスクと顔面との間に介在させて空間部を形成するためのマスクインナーがある（例えば、特許文献１）。このマスクインナーは保形性を確保するためにある程度の強度を必要とし、プラスチック材などにより形成する。顔面との接触部には丸みをもたせるなどして接触部の違和感を軽減するように形成してある。
【０００３】
しかしながら、マスクインナーが直接顔面に接触しているため違和感がありマスクの掛け心地が悪い。また、マスクを外した際には、マスクインナーが接触していた顔面の部位に跡が残ってしまう、という問題がある。
【先行技術文献】
【特許文献】
【０００４】
【特許文献１】実用新案登録第３２２７４５４号公報
【考案の概要】
【考案が解決しようとする課題】
【０００５】
そこで、本考案は、やさしい接触感が得られ、マスクを取り外した際のマスクインナーの接触跡が残り難いようにしたマスクインナー収容袋を提供することを目的とする。
【課題を解決するための手段】
【０００６】
上記課題を解決するために、請求項１に係るマスクインナー収容袋は、マスクと着用者の顔面との間に介在され着用者の鼻及び口部付近を覆う内部空間を有し通気用の窓部を設けたマスクインナーを収容する布製のマスクインナー収容袋であって、顔面側の中央部に前記マスクインナーの出し入れ口を設けたこと、を特徴としている。
請求項２に係る考案は、外面側の表布と顔面側の裏布とを周縁部で縫製して袋状に形成し、顔面側裏布の中央部に円形状のマスクインナー出し入れ口を形成したものである。
請求項３に係る考案は、収容袋を横長の菱形状に形成してなるものである。
請求項４に係る考案は、菱形の上端部と下端部との少なくとも一方を上端部及び／又は下端部から内方に向けて表布と裏布とを一部縫い合わせた縫い合わせ部を設けたものである。
【考案の効果】
【０００７】
請求項１に係る考案によれば、マスクと着用者の顔面との間に介在され着用者の鼻及び口部付近を覆う内部空間を有し通気用の窓部を設けたマスクインナーを収容する布製のマスクインナー収容袋であって、顔面側の中央部に前記マスクインナーの出し入れ口を設けたので、使用の際、マスクインナーが直接顔面に接触することがなく、違和感が軽減される。また、マスクインナーが直接顔面に接触しないので、マスクを取り外した際のマスクインナーの接触部の跡が残り難くなる。
請求項２に係る考案によれば、外面側の表布と顔面側の裏布とを周縁部で縫製して袋状に形成し、顔面側裏布の中央部に円形状のマスクインナー出し入れ口を形成したので、構造も簡単で、安価に製造できる。
請求項３係る考案によれば、収容袋を横長の菱形状に形成してなるので、左右端部を袋の内側に押し込めば収容袋の左右長さを短くでき、左右長さの短い子供用のマスクにも使用することができる。
請求項４に係る考案によれば、菱形の上端部と下端部との少なくとも一方を上端部及び／又は下端部から内方に向けて表布と裏布とを一部縫い合わせた縫い合わせ部を設けたので、該縫い合わせ部でマスクインナーを保持して収容袋内でマスクインナーがぐらつき難くなり、安定的に収容袋内に保持できる。
【図面の簡単な説明】
【０００８】
【図１】マスクインナーの背面側から見た斜視図である。
【図２】本考案によるマスクインナー収容袋にマスクインナーを収容した状態の背面側から見た斜視図である。
【図３】図２の背面図である。
【図４】他の態様による図３相当の背面図である。
【図５】マスクインナーを収容したマスクインナー収容袋をマスクに重ねた状態の背面図である。
【図６】子供用マスクに使用する際の図５相当の背面図である。
【考案を実施するための形態】
【０００９】
以下、本考案の実施例を図面に基づいて具体的に説明する。図１に示すマスクインナー１は、マスク（衛生マスク）と顔面との間に介在させてマスクと顔面との間に内部空間を形成するためのものである。椀状に形成して内部に空間２を有し、正面側に通気のための大きな窓孔３を形成し、周縁部の顔面との接触部４には丸みをもたせるなどして滑らかに接触するようにしてある。保形性を確保するためプラスチック材など、強度を持つ材料で形成する。なお、図１において、符号５は、プリーツマスクのプリーツ部に掛けるフックである。
【００１０】
本考案の実施例によるマスクインナー収容袋６は、上記のマスクインナー１を袋内に収容して顔面とマスクとの間に介在させるものである。顔面側にはマスクインナー１を袋内に出し入れするための出し入れ口７を形成してある。より具体的には、外面側の表布８と顔面側の裏布９とを周縁部１０で縫製して袋状に形成し、顔面側裏布９の中央部に円形状のマスクインナー出し入れ口７を形成してある。このように構造も簡単で安価に製造できる。
【００１１】
収容袋内にマスクインナー１を収容した際には多少のゆとりがあるような大きさにマスクインナー収容袋６を形成する。ゆとりが大き過ぎると、収容袋内でマスクインナー１が左右にずれ易くなる。これを防ぐため、左右中央部の上端部及び／又は下端部から内方に向けて表布８と裏布９とを適度の長さ縫い合わせた縫い合わせ部１１を設けるとよい。上端部と下端部との一方にのみ縫い合わせ部１１を設けるようにしてもよく（図３）、両方に縫い合わせ部１１を設けるようにしてもよい（図４）。一方にのみ設ける場合には、下端部側にのみ設けるようにするとよい。これは、マスクインナー１が収容袋内で下方に下がってこないようにするためである。
【００１２】
マスクインナー収容袋６の材質は布材とする。マスクインナー１が顔面に直接触することなく、布材（裏布９）を介して接触することとなるためやさしい接触感となる。また、マスクを取り外した際にも、マスクインナー１の接触部の跡が残り難くなる。
【００１３】
マスクインナー１の出し入れ口部７は、空間部となっているため、息苦しさも軽減され、また、口紅などもマスクに付着することがない。この出し入れ口部７は、息の呼吸口を兼用する。
【００１４】
収容袋の外面側の表布８はフィルターの役割をも果たすことになり、飛沫やウィルス等の通過を抑制する効果も期待できることになる。
【００１５】
マスクインナー収容袋６は、横長の菱形状に形成してある。大人用マスク１２に使用する際には、マスクインナー１を収容した状態で、そのままマスク１２と顔面との間に介在させればよい。
【００１６】
左右幅の短い子供用マスク１３に使用する際には、横長の菱形状では左右長さが長すぎるため、図６に示すように、左右端部を内側に折り返して（１４）、収容袋６の左右長さを短くする。これにより、子供用マスク１３に使用した際にも左右にはみ出すことなく使用でき（図６）、大人用、子供用の両者兼用できることとなり、効率的である。
【００１７】
次に、本考案によるマスクインナー収容袋６の使用法を説明する。マスクインナー１を出し入れ口７から収容袋内に収容し、大人用マスク１２に使用する際は、そのままマスクと顔面との間に介在させてマスク１２を装着する（図５）。一方、子供用マスク１３に使用する際は、左右端部を内側に折り返して（１４）収容袋の左右長さを短くした上で、マスクと顔面との間に介在させてマスク１３を装着する（図６）。
【００１８】
使用後は、マスクインナー１を出し入れ口７から取り出し、マスクインナー収容袋６は洗濯して再利用することができる。また、マスクインナー１は消毒して再利用することができる。
【符号の説明】
【００１９】
１  マスクインナー
２  空間
３  窓孔
４  接触部
５  フック
６  マスクインナー収容袋
７  出し入れ口
８  表布
９  裏布
１０  周縁部
１１  縫い合わせ部
１２  大人用マスク
１３  子供用マスク
１４  折り返し部
【図１】
0003230441.tif 000003
【図２】
0003230441.tif 000004
【図３】
0003230441.tif 000005
【図４】
0003230441.tif 000006
【図５】
0003230441.tif 000007
【図６】
0003230441.tif 000008